(57)【要約】 【課題】立った状態で流れてきたメダルを確実に倒してメダルを円滑に送出することができるメダル搬送通路を提供する。【解決手段】起立して形成された搬送通路１の両側面１２に、メダル均し用部材２が揺動自在に軸着されたメダル搬送通路であって、前記メダル均し用部材２は、流れてくるメダルが衝突する上流側の側面に搬送通路の内方に向けて傾斜する斜面２２が設けられていて、搬送通路１の側面１２に沿って立った状態で流れてくるメダルを倒すように面取りされている。均し用部材と搬送通路１の搬送面１１との間に、少なくともメダル一枚が通過可能な隙間を設けて、多段に積み重なったメダルを崩すことができる。【選択図】図１
2010162105.tif 000002
【特許請求の範囲】
【請求項１】
起立して形成された搬送通路の両側面に、メダル均し用部材が揺動自在に軸着されたメダル搬送通路であって、前記メダル均し用部材は、流れてくるメダルが衝突する上流側の側面に搬送通路の内方に向けて傾斜する斜面が設けられていて、搬送通路の側面に沿って立った状態で流れてくるメダルを倒すように面取りされていることを特徴とするメダル搬送通路。
【請求項２】
均し用部材とメダル搬送通路の搬送面との間に、少なくともメダル一枚が通過可能な隙間が設けられている請求項１に記載のメダル搬送通路。
【発明の詳細な説明】
【技術分野】
【０００１】
本発明は、遊技用のメダルを円滑に搬送するためのメダル搬送通路に関するものである。
【背景技術】
【０００２】
スロットマシンなどの遊技機は、多数台を並べて遊技機島を構成し、この遊技機島内をメダルが循環する。遊技機にメダルを自動で補給するための補給装置として、特許文献１に開示されたものがある。この発明において各遊技機やメダル貸出機には、図５に引用して示すような補給装置４が配置されている。補給装置４は、遊技機の上方に配設されており、凹状に形成されたメダル搬送通路１の起立した左右の側面を跨いで配設されたゲート４１と、遊技機やメダル貸出機にメダルを補給するためのホッパー４２とを備えている。ゲート４１は、先端にホッパー側に傾斜する斜面を有している。
【０００３】
上記した補給装置４において、遊技機内のメダルが不足するとゲート４１が下方に回動して搬送通路２が閉鎖されて、図６に示すようにメダルがホッパー４２内に投入される。ホッパー４２の内部にはセンサー４３が配置されていて、所要枚数のメダルをカウントすると、再びゲート４１が上昇されてメダルの補給が終了する。
【０００４】
以上のような補給装置４において、メダルが重なってホッパー４２内に投入されるとセンサー４３の計数に誤差が生じて、メダルを正確に補給することができない。そこで図７に示すようなメダル一枚が通過可能なゲート４４や、図８に示すような回転ブラシ４５を用いて、メダルを一段に均すようにしている。しかしながら、ゲート４４や回転ブラシ４５では、搬送通路の側壁に沿って立った状態で流れ込んで来るとこれを倒すことができない。立ったままメダルが流れてくるとメダルがゲート４４や回転ブラシの前に滞留し、滞留が助長されると最終的にはメダルが詰まって搬送トラブルを引き起こすこととなる。
【先行技術文献】
【特許文献】
【０００５】
【特許文献１】特開２００４−２３６７８３号公報    （図５）
【発明の概要】
【発明が解決しようとする課題】
【０００６】
本発明は、上記した従来の問題点に鑑み、立った状態で流れてきたメダルを確実に倒してメダルを円滑に送出することができるメダル搬送通路を提供するためになされたものである。
【課題を解決するための手段】
【０００７】
上記の課題を解決するためになされた本発明に係るメダル搬送通路は、起立して形成された搬送通路の両側面に、メダル均し用部材が揺動自在に軸着されたメダル搬送通路であって、前記メダル均し用部材は、流れてくるメダルが衝突する上流側の側面に搬送通路の内方に向けて傾斜する斜面が設けられていて、搬送通路の側面に沿って立った状態で流れてくるメダルを倒すように面取りされていることを特徴とするものである。
【０００８】
上記した発明において、均し用部材とメダル搬送通路の搬送面との間に、少なくともメダル一枚が通過可能な隙間を設けることができる。
【発明の効果】
【０００９】
請求項１に係る発明は、メダル搬送通路の起立した側壁に沿って立ったままの状態で流れ込んできたメダルを、メダル均し部材の斜面でもって確実に倒すことができる。
請求項２に係る発明は、メダル均し部材の下側をメダルが通過するので、多段に積み重なったメダルを崩して搬送することができる。
【図面の簡単な説明】
【００１０】
【図１】本発明の遊技機の搬送通路を示す平面図である。
【図２】搬送通路の側面図である。
【図３】メダル均し部材の、（ａ）斜視図、（ｂ）平面図、（ｃ）正面図である。
【図４】搬送通路の側面図である。
【図５】ゲートが開放された搬送通路を示す斜視図である。
【図６】ゲートが閉鎖された返送通路を示す斜視図である。
【図７】メダル均し用のゲートを示す側面図である。
【図８】回転ブラシの側面図である。
【発明を実施するための形態】
【００１１】
以下に、本発明の実施形態について説明する。
図１、２は、本発明の実施形態の遊技機の搬送通路を示す図であって、１はメダル搬送通路、２はメダル均し部材である。メダル搬送通路１は、通路面１１と、通路面１１の左右に起立する側面１２とよりなり、通路面１１がやや下り傾斜にして遊技機島の上部に配設されている。搬送通路１の左右の側面１２には取付板３が立設され、左右の取付板３を貫通して支軸２１が配設され、この支軸２１にメダル均し部材１が揺動自在に軸着されている。なお、側面１２が十分高い場合には、側面１２に直接支軸２１を配設することができる。
【００１２】
メダル均し部材２は、図３に示すような形状のものであって、軸穴２３を有し、またメダルが衝突する上流側の側面が面取りされて、搬送通路１の内側方向に向けて傾斜する斜面２２が形成されている。斜面２２の下端も斜め下がりに面取りされている。起立した側面に沿って立ったままの状態で流れてきたメダルは、メダル均し部材２に衝突したときにメダルの上部が搬送通路１の内側に傾けられるので、起立状態から倒伏状態へと倒されることとなる。メダルの衝突によってメダル均し部材２は揺動するので、メダルがメダル均し部材２に詰まって滞留が発生することはない。
【００１３】
また、図４に示すようにメダル均し部材２の下面と通路面１１との間には、少なくともメダル一枚が通過可能な隙間Ｓが設けられている。多段に積み重なったメダルのうち隙間Ｓを通過できない上層のメダルは、メダル均し部材２によって均されるので、メダルを遊技機まで円滑に搬送することができる。
【００１４】
隙間Ｓをメダルが一枚通過可能な隙間に形成したときには、メダル均し部材２の斜面が立ったまま流下してきたメダルを平坦な状態に倒すとともに、メダル均し部材２の下端部が多段に積み重なったメダルを一段に均すので、メダルを遊技機上のホッパーまで一枚ずつ円滑に搬送することができる。したがって、本発明はメダルを滞留などを発生させることができるうえに、メダルの計数に誤差を生ずることがない搬送通路を提供できるものとして、大きな利点がある。
【符号の説明】
【００１５】
１  搬送通路、２  メダル均し用部材、１２搬送通路の側面、２２  斜面、
【図１】
2010162105.tif 000003
【図２】
2010162105.tif 000004
【図３】
2010162105.tif 000005
【図４】
2010162105.tif 000006
【図５】
2010162105.tif 000007
【図６】
2010162105.tif 000008
【図７】
2010162105.tif 000009
【図８】
2010162105.tif 000010